(57)【要約】【課題】複数の映像表示装置またはＡＶアンプ装置間で、ＨＤＭＩ接続をした時に通常のソフトウェアを起動している状態で接続すると問題が発生し、映像が正しく出力出来ない場合がある。【解決手段】接続される映像表示装置やＡＶアンプ装置の電源ＯＮ時、接続される装置からＥＤＩＤ情報を読み込み、製品情報／メーカー情報／映像フォーマット情報を検出して、メモリーに記憶されている情報と比較し、情報が一致した場合にはソフトウェアの起動内容を変更する。【選択図】図１
2006203725.tif 000002
【特許請求の範囲】
【請求項１】
接続される装置より入力されるデータから製品情報を検出する製品情報検出手段と、前記入力データからメーカー情報を検出するメーカー情報検出手段と、前記入力データから映像フォーマット情報を検出する映像フォーマット情報検出手段のうち少なくとも一つ以上の検出手段を有し、製品情報とメーカー情報と映像フォーマット情報をメモリーから読み込み出力するメモリー入出力手段と、前記少なくとも一つ以上の検出手段から得られた情報と前記メモリー入出力手段から得られた情報が一致するかしないかを判別する比較手段と、前記比較手段から入力される一致情報に従いプログラム切換えを行うプログラム切換え手段とを備えたことを特徴とする映像信号出力装置。
【請求項２】
前記プログラム切換え手段は、入力されるホットプラグ信号を判別する判別手段と、時間を設定する時間設定手段と、前記比較手段から入力される一致情報に従い一致した時は前記時間設定手段で設定された時間のみＨｉｇｈ情報を出力する情報作成手段とで構成されることを特徴とする、請求項１記載の映像信号出力装置。
【発明の詳細な説明】
【技術分野】
【０００１】
本発明は、複数の映像フォーマットを切換えて出力することのできる映像信号出力装置に関するものである。
【背景技術】
【０００２】
近年ＤＶＤの需要が大幅に増え、それに伴いＤＶＤプレーヤやＤＶＤレコーダなどの映像信号出力装置の需要も急激に増えてきている。また、ＤＶＤプレーヤなどの映像出力装置と接続される映像表示装置やＡＶアンプ装置も多種多様なものがある。従来、映像出力装置はアナログ信号で映像を出力していた。近年アナログ信号では映像の劣化があり、デジタル信号で劣化のない映像を見たいという需要が広がり、デジタル伝送できる映像信号出力装置の開発が進んでいる。特に、ＩＥＥＥ１３９４規格に準拠してデジタル伝送を行う装置が多く開発されていて、装置をＩＥＥＥ１３９４で接続した時に装置間で互いを認識することも可能となっている。
【０００３】
ＩＥＥＥ１３９４ネットワークに接続された装置であれば、Ｃｏｎｆｉｇｕｒａｔｉｏｎ  ＲＯＭのキーワードリーフに保持されるｋｅｙｗｏｒｄｓの文字列を解析することで、その装置がどのような種類の装置であるか（プリンタ、パーソナルコンピュータ、デジタルカメラなど）を判断することができる。更に、フィーチャディレクトリに書かれている文字列を解析することで、その装置がどのような装置を表示装置としているかについて情報を得ることができる。そのため、例えばプリンタでは印刷の指示をした相手の装置の種類を特定することができて、またどのような表示装置に表示されたイメージを基にして印刷を指示しているかを知ることができるため、相手の装置に合わせた、よりユーザーの欲する印刷を行うことが可能となる。
【０００４】
このように、ＩＥＥＥ１３９４規格に準拠した機器では、Ｃｏｎｆｉｇｕｒａｔｉｏｎ  ＲＯＭの情報を用いることにより、接続する機器を特定し、処理を変えることが可能であった。（例えば、特許文献１参照。）
一方、ＨＩＧＨ  ＤＥＦＩＮＩＴＩＯＮ  ＭＵＬＴＩＭＥＤＩＡ  ＩＮＴＥＲＦＡＣＥ（以下、ＨＤＭＩと略称）規格に準拠してデジタル伝送を行う装置も開発されていているが、ＩＥＥＥ１３９４規格に準拠した機器のように、接続する機器を特定し、処理を変えることは無かった。
【０００５】
ＨＤＭＩ規格に準拠したデジタル伝送装置の動作を図３、図４、図５を用いて説明する。図３はＨＤＭＩ規格に準拠した映像信号出力装置のブロック図、図４はその装置のＨＤＭＩ認証動作を示した説明図、図５はその装置が認証に失敗する場合のＨＤＭＩ認証動作を示した説明図である。図３に示すように、映像信号出力装置３１にはＨＤＭＩ接続を確認する用途に使用するホットプラグ信号が入力される。入力されたホットプラグ信号は、ホットプラグ判別手段９により１／０情報に変換され、ＨＤＭＩデータ処理手段３２に入力される。また、ＥＸＴＥＮＤＥＤ  ＤＩＳＰＬＡＹ  ＩＤＥＮＴＩＦＩＣＡＴＩＯＮ  ＤＡＴＡ（以下、ＥＤＩＤと略称）データもＨＤＭＩデータ処理手段１２に入力される。ここでＥＤＩＤデータとは、映像表示装置が画面に表示可能、または入力可能な映像に関する情報と、入力可能な音声に関する情報、メーカー情報、製品情報などを含み、ＶＥＳＡで策定されたＥｘｔｅｎｄｅｄ  Ｄｉｓｐｌａｙ  Ｉｄｅｎｔｉｆｉｃａｔｉｏｎ  Ｄａｔａ（ＥＤＩＤ）規格に準拠し、ＥＩＡ／ＣＥＡ−８６１Ｂ規格で規定されるデータ形式に納められているデータである。
図４に示すように、ホットプラグ信号がＨｉｇｈになると認証を開始し、ＨＤＭＩ信号を出力する。次に、接続する機器を特定する手段を備えていないために、認証を失敗する場合について説明する。図５に示すように、ホットプラグ信号がＨｉｇｈになると認証を始めるが、フォーマット切換えによるＨＤＭＩ出力信号の中断を検出し、ホットプラグ信号をＬｏｗにしてしまう特定の映像表示装置が存在する。このような映像表示装置をＨＤＭＩ接続した場合、認証動作中にホットプラグ信号がＬｏｗになると認証を中断するため認証が失敗する。
【特許文献１】特開２００１−２５７６８５号公報
【発明の開示】
【発明が解決しようとする課題】
【０００６】
解決しようとする課題は、複数の映像表示装置またはＡＶアンプ装置間で、ＨＤＭＩ接続をした時に通常のソフトウェアを起動している状態で接続するとＨＤＭＩ認証に失敗する問題が発生し、映像が正しく出力出来ない場合がある。
【課題を解決するための手段】
【０００７】
本発明の映像信号出力装置は、接続される映像表示装置やＡＶアンプ装置の電源ＯＮ時、接続される装置からＥＤＩＤ情報を読み込み、製品情報／メーカー情報／映像フォーマット情報を検出して、メモリーに記憶されている情報と比較し、情報が一致した場合にはソフトウェアの起動内容を変更する。
【０００８】
例えば，ＥＤＩＤの情報により接続される映像表示装置やＡＶアンプ装置を識別し、特定の映像表示装置やＡＶアンプ装置と接続している場合、認証動作中にホットプラグ信号をＬｏｗにされたとしても映像信号出力装置で認証動作を行う３秒間、ホットプラグ検出を行わないようにする。
【発明の効果】
【０００９】
本発明の映像信号出力装置は、通常のソフトウェアを起動するとＨＤＭＩ認証に失敗する装置を検出し、特別にソフトウェアの起動内容を変更してＨＤＭＩ認証を成功させることが出来る。
【００１０】
例えば、ホットプラグ信号がＬｏｗであることを検出するとＨＤＭＩの再認証を行うため、以前までの映像信号出力装置では処理シーケンスの不整合が原因で認証中にホットプラグがＬｏｗになると、ホットプラグ「Ｈｉｇｈ」⇒認証動作⇒「Ｌｏｗ」⇒「Ｈｉｇｈ」⇒再認証動作（認証初めから）⇒「Ｌｏｗ」の繰り返し（出力ＮＧ）によりＨＤＭＩの認証に失敗することがあった。しかしこの発明によりホットプラグ「Ｈｉｇｈ」⇒認証動作⇒「Ｌｏｗ」（無視）⇒「Ｈｉｇｈ」⇒認証動作（続き）⇒認証完了（出力ＯＫ）と動作することにより、ＨＤＭＩの認証を確立させ、映像を正常に出力させる。
【発明を実施するための最良の形態】
【００１１】
（実施の形態１）
図１は、本発明を実施するための映像信号出力装置のブロック図を示し、図１において１は映像信号出力装置全体を表しており、２は接続される映像表示装置やＡＶアンプ装置より入力されるＥＤＩＤ入力データからＥＤＩＤ製品情報を検出するＥＤＩＤ製品情報検出手段、３はＥＤＩＤメーカー情報を検出するＥＤＩＤメーカー情報検出手段、４はＥＤＩＤ映像フォーマット情報を検出するＥＤＩＤ映像フォーマット情報検出手段、５は製品情報、メーカー情報、映像フォーマット情報を有するメモリー、６はメモリーからリードした情報を出力するメモリー入出力手段、７は映像表示装置やＡＶアンプ装置からのＥＤＩＤ製品情報、ＥＤＩＤメーカー情報、とＥＤＩＤ映像フォーマット情報とメモリー出力情報を比較する比較手段、８は比較手段の比較結果に従いプログラムを切換えるプログラム切換え手段、１２はＨＤＭＩデータ処理手段である。
【００１２】
以上のように構成された映像信号出力装置について、以下その動作を説明する。
ホットプラグ情報は通常、「Ｈｉｇｈ」⇒「Ｌｏｗ」⇒「Ｈｉｇｈ」⇒認証動作のタイミングで切換わる。そして「Ｌｏｗ」⇒「Ｈｉｇｈ」の状態を認識すると、認証動作を開始する。
【００１３】
特定の映像信号出力装置と映像表示装置、またはＡＶアンプ装置をＨＤＭＩ接続したときに、通信タイミングが合わずＨＤＭＩの認証を失敗する組み合わせが存在する。そのため、映像信号出力装置が認証の失敗する特定の映像表示装置を検出し、通常のプログラムから通信タイミングを変更する特別なプログラムに切換えることにより認証を成功させるようにする。ＥＤＩＤ製品情報は製品毎に割り振られたＩＤ情報、ＥＤＩＤメーカー情報はメーカー毎に割り振られたＩＤ情報、ＥＤＩＤ映像フォーマット情報は映像表示装置が表示可能な映像フォーマット情報であり、ＥＤＩＤデータに記載されているこれらの情報の組み合わせにより特定の映像表示装置の検出が可能となる。映像信号出力装置は予め認証が失敗する映像表示装置に記載されている各種情報を記憶していて、接続装置から入力されるＥＤＩＤデータの情報と記憶している情報が一致したときに装置を検出する。
【００１４】
本発明では接続される受像機からＥＤＩＤ情報を読み込み、ＥＤＩＤ製品情報検出手段２と、ＥＤＩＤメーカー情報検出手段３と、ＥＤＩＤ映像フォーマット情報検出手段４によって現在接続されている機器のＥＤＩＤ情報を検出する。検出した各ＥＤＩＤ情報と、メモリー５からメモリー入出力手段６がリードする製品情報、メーカー情報、映像フォーマット情報をメモリー入出力手段６が比較手段７で比較し、一致するかしないかをプログラム切換え手段８に伝える。プログラム切換え手段８は比較手段９の比較結果に従い、一致する場合と一致しない場合でプログラムの切換えを行う。
【００１５】
次にプログラム切換え手段８の構成例について説明する。ホットプラグ判別手段９は入力されたホットプラグ信号を１／０情報に変換する。ホットプラグ情報作成手段１１は比較手段７の比較結果に従い、比較手段７で比較した情報が一致した時は時間設定手段１０で設定される時間のみ１をＨＤＭＩデータ処理手段１２に出力し、一致しない時はホットプラグ判別手段９から得られた情報を出力する。
【００１６】
図２が認証失敗を回避する本発明の映像信号出力装置のＨＤＭＩ認証動作を示した説明図である。ホットプラグ情報作成手段１１は比較手段７の比較結果に従い、比較手段７で比較した情報が一致した時は、認証開始から時間設定手段１０で設定される３秒間、ホットプラグ情報データとして１を出力する。そのため、入力ホットプラグ信号がＬｏｗに落ちてしまっても認識しないようになる。３秒以降は、ホットプラグ情報データとしてホットプラグ判別手段９から得られた情報を出力する。また、このアルゴリズムによってその他の映像表示装置が接続されていると検出すると、ホットプラグ情報データとしてホットプラグ判別手段９から得られた情報を出力する。
【００１７】
なお、特定の映像表示装置の検出にＥＤＩＤ製品情報、ＥＤＩＤメーカー情報、ＥＤＩＤ映像フォーマット情報の３つをすべて使用する必要は無い。少なくとも１つ以上を使用すれば良い。また、プログラム切換え手段を構成する各手段はすべてハードウェアで構成されている必要は無い。ソフトウェアで構成されていても良い。
【産業上の利用可能性】
【００１８】
本発明にかかわる映像信号出力装置は、接続される映像表示装置やＡＶアンプ装置などから得られたＥＤＩＤデータを利用して認証動作をスムーズに行うことが出来るので、様々な装置との連携の際に特定の機種での認証の失敗を防ぐことが可能である。
【図面の簡単な説明】
【００１９】
【図１】本発明の実施の形態における映像信号出力装置の構成を示した図
【図２】本発明の実施の形態における映像信号出力装置のＨＤＭＩ認証の動作を示した説明図
【図３】ＨＤＭＩ規格に準拠した映像信号出力装置の構成を示した図
【図４】ＨＤＭＩ規格に準拠した映像信号出力装置のＨＤＭＩ認証の動作を示した説明図
【図５】ＨＤＭＩ規格に準拠した映像信号出力装置が認証に失敗した場合のＨＤＭＩ認証の動作を示した説明図
【符号の説明】
【００２０】
１    映像信号出力装置
２    ＥＤＩＤ製品情報検出手段
３    ＥＤＩＤメーカー情報検出手段
４    ＥＤＩＤ映像フォーマット情報検出手段
５    メモリー
６    メモリー入出力手段
７    比較手段
８    プログラム切換え手段
９    ホットプラグ判別手段
１０    時間設定手段
１１    ホットプラグ情報作成手段
１２    ＨＤＭＩデータ処理手段
【図１】
2006203725.tif 000003
【図２】
2006203725.tif 000004
【図３】
2006203725.tif 000005
【図４】
2006203725.tif 000006
【図５】
2006203725.tif 000007